(57)【要約】無線通信ネットワークを介して緊急性ショートメッセージを通信するための移動通信機器により使用される方法と機器。ショートメッセージを通信するためのユーザ入力要求が移動機器のユーザ・インターフェースを介して受信される。ユーザ入力要求が、緊急メッセージである場合、メモリから第二メッセージ・センタ・アドレスが読み取られ、ショートメッセージのメッセージ・センタ・アドレスに供給される。ネットワークは、メッセージ・アドレス欄の中の第二メッセージ・センタ・アドレスを識別し、応答して、ショートメッセージをネットワークに対して局所である緊急メッセージ・センタへ送信されるようにする。このように移動機器がホームではない無線ネットワークを訪れている時は、ショートメッセージは、適切な局所緊急メッセージ・センタへの道順を決められる。
2009516965.tif 000002
【特許請求の範囲】
【請求項１】
無線通信ネットワークを介して緊急性のショートメッセージを通信する移動通信機器によって使用される方法であって、前記方法は、
ホーム・メッセージ・センタに関連する第一メッセージ・センタ・アドレス、および緊急メッセージ・センタに関連する第二メッセージ・センタ・アドレスを記憶する前記移動通信機器へアクセス可能なメモリを提供する動作と、
前記移動通信機器のユーザ・インターフェースを介して、ショートメッセージを通信するユーザ入力要求を受信する動作と
を含み、
前記ユーザ・インターフェースを介して受信した前記ユーザ入力要求が、前記移動通信機器によって緊急メッセージであると識別された場合に、前記移動通信機器は、
前記メモリから前記第二メッセージ・センタ・アドレスを読み取り、前記ショートメッセージのメッセージ・センタ・アドレス欄の中に前記第二メッセージ・センタ・アドレスを提供する動作と、
前記メッセージ・センタ・アドレス欄の中に前記第二メッセージ・センタ・アドレスを有する前記ショートメッセージを、前記緊急メッセージ・センタへ通信する前記無線通信ネットワークを介して送信させる動作と
を実行する、方法。
【請求項２】
前記ユーザ・インターフェースを介して受信した前記ユーザ入力要求が、前記移動通信機器によって非緊急メッセージであると識別された場合に、前記移動通信機器は、
前記メモリから前記第一メッセージ・センタ・アドレスを読み取り、前記ショートメッセージのメッセージ・センタ・アドレス欄の中に前記第一メッセージ・センタ・アドレスを提供する動作と、
前記メッセージ・センタ・アドレス欄の中に前記第一メッセージ・センタ・アドレスを有する前記ショートメッセージを、前記無線通信ネットワークを介して前記ホーム・メッセージ・センタへ通信するために転送させる動作と
を実行することをさらに含む、請求項１に記載の方法。
【請求項３】
前記第一メッセージ・センタ・アドレスおよび前記第二メッセージ・センタ・アドレスを記憶する前記移動通信機器にアクセス可能な前記メモリを提供する前記動作は、前記移動通信機器の中に取り外し可能なメモリ・モジュールを提供することを含む、請求項１に記載の方法。
【請求項４】
前記無線通信ネットワークのブロードキャスト・チャネルを介して前記第二メッセージ・センタ・アドレスを受信することをさらに含む、請求項１に記載の方法。
【請求項５】
前記無線通信ネットワークのブロードキャスト・チャネルを介して前記第二メッセージ・センタ・アドレスを受信することと、
取り外し可能なメモリ・モジュールを含む前記メモリの中に前記ブロードキャスト・チャネルを介して受信した前記第二メッセージ・センタ・アドレスを記憶することと
をさらに含む、請求項１に記載の方法。
【請求項６】
無線通信ネットワークのブロードキャスト・チャネルを介して前記第二メッセージ・センタ・アドレスを受信することと、
前記無線通信ネットワークの無線ネットワーク識別に関連している前記緊急メッセージ・センタ・アドレスを前記メモリに記憶することと
をさらに含む、請求項１に記載の方法。
【請求項７】
前記移動通信機器が新しい複数の無線通信ネットワークの一つと共に作動する度に、
無線通信ネットワークのブロードキャスト・チャネルを介して前記第二メッセージ・センタ・アドレスを受信することと、
前記無線通信ネットワークの無線ネットワーク識別に関連する前記第二メッセージ・センタ・アドレスを前記メモリに記憶することと
をさらに含む、請求項１に記載の方法。
【請求項８】
メッセージ宛先を予め規定されているメッセージ宛先リストと比較することと、
前記メッセージ宛先が前記リストの予め規定されているメッセージ宛先と一致している場合に、前記ユーザ入力要求は前記緊急メッセージのためのものであると識別することと、
前記メッセージ宛先が前記リストの予め規定されているすべてのメッセージ宛先と一致していない場合に、前記ショートメッセージは非緊急メッセージであると識別することと、
によって、前記ユーザ入力要求が前記緊急メッセージであるかどうかを、前記移動通信機器によって識別すること
をさらに含む、請求項１に記載の方法。
【請求項９】
前記ユーザ・インターフェースに提供されている緊急機能が選択されたかどうかを識別することによって、前記ユーザ入力要求は前記緊急メッセージのためのものであるかを、前記移動通信機器によって、識別することをさらに含む、請求項１に記載の方法。
【請求項１０】
前記無線ネットワークによって、前記メッセージ・センタ・アドレス欄の中に前記第二メッセージ・センタ・アドレスを有する前記ショートメッセージを受信することと、
前記ショートメッセージの前記緊急メッセージ・センタへの道順を決めるために、前記ショートメッセージの中に前記緊急メッセージ・センタと対応する緊急メッセージ・センタ・アドレスを提供することと
をさらに含む、請求項１に記載の方法。
【請求項１１】
一つ以上のプロセッサと、
前記一つ以上のプロセッサに結合され、無線通信ネットワークとの通信に適している無線送受信器と、
前記一つ以上のプロセッサに結合されているユーザ・インターフェースと
を含み、前記一つ以上のプロセッサは、
前記移動通信機器にアクセス可能なメモリであって、ホーム・メッセージ・センタと関連している第一メッセージ・センタ・アドレスおよび緊急メッセージ・センタと関連している第二メッセージ・センタ・アドレスを記憶するメモリと通信し、
前記ユーザ・インターフェースを介して、ショートメッセージを通信するためのユーザ入力要求を受信し、
前記ユーザ・インターフェースを介して受信した前記ユーザ入力要求が緊急メッセージであると前記一つ以上のプロセッサによって識別された場合に、
前記一つ以上のプロセッサによって、前記メモリから前記第二メッセージ・センタ・アドレスを読み取り、前記一つ以上のプロセッサによって、前記ショートメッセージのメッセージ・センタ・アドレス欄の中に前記第二メッセージ・センタ・アドレスを提供し、
前記メッセージ・センタ・アドレス欄の中に前記第二メッセージ・センタ・アドレスを有する前記ショートメッセージを、前記緊急メッセージ・センタへ通信する前記無線送受信器を介して前記無線通信ネットワークへ送信させる
ように作動することができる、移動通信機器。
【請求項１２】
前記一つ以上のプロセッサは、
前記ユーザ・インターフェースを介して受信した前記ユーザ入力要求が、前記一つ以上のプロセッサによって非緊急メッセージであると識別された場合に、
前記一つ以上のプロセッサによって前記メモリから前記第一メッセージ・センタ・アドレスを読み取り、前記一つ以上のプロセッサによって前記ショートメッセージのメッセージ・センタ・アドレス欄の中に前記第一メッセージ・センタ・アドレスを提供し、
前記メッセージ・センタ・アドレス欄の中に前記第一メッセージ・センタ・アドレスを有する前記ショートメッセージを、前記無線送受信器を介して前記ホーム・メッセージ・センタへ通信するために送信させる、
ように作動することができる、請求項１１に記載の移動通信機器。
【請求項１３】
前記メモリは、前記移動通信機器の中に取り外し可能なメモリ・モジュールを含んでいる、請求項１１に記載の移動通信機器。
【請求項１４】
前記一つ以上のプロセッサは、
前記無線送受信器を介して、前記無線通信ネットワークのブロードキャスト・チャネルを介して前記第二メッセージ・センタ・アドレスを受信する
ようにさらに作動することができる、請求項１１に記載の移動通信機器。
【請求項１５】
前記一つ以上のプロセッサが、
前記無線送受信器を介して前記一つ以上のプロセッサにより、前記無線通信ネットワークのブロードキャスト・チャネルを介して、前記第二メッセージ・センタ・アドレスを受信し、
取り外し可能なメモリ・モジュールを含むメモリの中に前記ブロードキャスト・チャネルを介して受信した前記第二メッセージ・センタ・アドレスを、前記一つ以上のプロセッサによって記憶する
ようにさらに作動することができる、請求項１１に記載の移動通信機器。
【請求項１６】
前記一つ以上のプロセッサは、
前記無線送受信器を介して前記一つ以上のプロセッサによって、前記無線通信ネットワークのブロードキャスト・チャネルを介して、前記第二メッセージ・センタ
・アドレスを受信し、
前記メモリの中の前記無線通信ネットワークの無線ネットワーク識別に関連している前記緊急メッセージ・センタ・アドレスを前記一つ以上のプロセッサによって記憶する
ようにさらに作動することができる、請求項１１に記載の移動通信機器。
【請求項１７】
前記一つ以上のプロセッサは、
前記移動通信機器が新しい複数の無線通信ネットワークの一つと共に作動する度に、
前記無線送受信器を介して前記一つ以上のプロセッサによって、前記無線通信ネットワークのブロードキャスト・チャネルを介して、前記第二メッセージ・センタ・アドレスを受信し、
前記メモリの中の前記無線通信ネットワークの無線ネットワーク識別に関連している前記第二メッセージ・センタ・アドレスを前記一つ以上のプロセッサによって記憶する
ようにさらに作動することができる、請求項１１に記載の移動通信機器。
【請求項１８】
前記一つ以上のプロセッサは、
メッセージ宛先を予め規定されているメッセージ宛先リストと比較することと、
前記メッセージ宛先が前記リストの予め規定されているメッセージ宛先と一致している場合に、前記ユーザ入力要求は、前記緊急メッセージのためのものであると識別することと、
前記メッセージ宛先が前記リストの予め規定されているすべてのメッセージ宛先と一致していない場合に、前記ユーザ入力要求は、非緊急メッセージのためのものであると識別することと、
によって、前記ユーザ・インターフェースを介して受信した前記ユーザ入力要求は緊急メッセージであるかどうかを識別する
ようにさらに作動することができる、請求項１１に記載の移動通信機器。
【請求項１９】
前記一つ以上のプロセッサは、
前記ユーザ・インターフェースに提供された緊急機能が選択されているかどうかを識別することによって、前記ユーザ・インターフェースを介して受信した前記ユーザ入力要求が前記緊急メッセージのためのものであるかどうかを識別する
ようにさらに作動することができる、請求項１１に記載の方法。
【請求項２０】
前記一つ以上のプロセッサは、
前記無線ネットワークによって、前記メッセージ・センタ・アドレス欄の中に前記第二メッセージ・センタ・アドレスを有する前記ショートメッセージを受信し、
前記ショートメッセージの前記緊急メッセージ・センタへの道順を決めるために、前記ショートメッセージの中に前記緊急メッセージ・センタと対応する緊急メッセージ・センタ・アドレスを提供する
ように作動することができる、請求項１１に記載の移動携帯機器。
【請求項２１】
無線通信ネットワークを介して緊急のショートメッセージを通信する移動通信機器によって使用される方法であって、前記方法は、
ユーザ・インターフェースを介して、ショートメッセージを通信するユーザ入力要求を受信する動作と、
前記ショートメッセージのメッセージ・センタ・アドレス欄にホーム・メッセージ・センタに対応するメッセージ・センタ・アドレスを提供する動作と、
前記ユーザ・インターフェースを介して受信した前記ユーザ入力要求が、前記移動通信機器によって緊急メッセージであると識別された場合に、前記ショートメッセージが緊急メッセージであることを示す指示子を前記ショートメッセージにおいて前記移動通信機器によって設定し、前記ショートメッセージが緊急メッセージであるとの前記指示子に基づいて、前記ショートメッセージを前記ホーム・メッセージ・センタとは異なる局所の緊急メッセージ・センタへの道順を決める前記無線通信ネットワークへ送信させる動作と、
前記ユーザ・インターフェースを介して受信した前記ユーザ入力要求が、前記移動通信機器によって非緊急メッセージであると識別された場合に、前記ショートメッセージが緊急メッセージではないことを示す指示子を、前記移動通信機器によって前記ショートメッセージに設定し、前記ショートメッセージを前記ホーム・メッセージ・センタへの道順を決める前記無線通信ネットワークへ送信させる動作と
を含む、方法。
【請求項２２】
前記ショートメッセージの中の前記指示子が、トランスポート・プロトコル識別子（ＴＰ−ＩＤ）を含む、請求項２１に記載の方法。
【請求項２３】
前記ショートメッセージのメッセージ宛先を予め規定されているメッセージ宛先と比較することと、
前記メッセージ宛先が、前記リストの予め規定されているメッセージ宛先と一致している場合に、前記ユーザ入力要求は前記緊急メッセージのためのものであると識別することと、
メッセージ宛先が前記リストのすべての予め規定されているメッセージ宛先と一致しない場合に、前記ショートメッセージは緊急メッセージのためのものであると識別しないことと
により、前記ユーザ・インターフェースを介して受信した前記ユーザ入力要求は、前記緊急メッセージであるかを前記移動通信機器によって識別することをさらに含む、請求項２１に記載の方法。
【請求項２４】
前記ユーザ・インターフェースに提供されている緊急機能が選択されているかを識別することによって、前記ユーザ・インターフェースを介して受信した前記ユーザ入力要求が緊急メッセージのためのものであるかを識別すること
をさらに含む、請求項２１に記載の方法。
【請求項２５】
前記ショートメッセージは緊急メッセージであることを示すように設定されている前記指示子を有する前記ショートメッセージを前記無線ネットワークによって受信することと、
前記ショートメッセージの前記緊急メッセージ・センタへの道順を決めるために、前記ショートメッセージにおいて前記緊急メッセージ・センタと対応する緊急メッセージ・センタ・アドレスを提供することと、
をさらに含む、請求項２１に記載の方法。
【請求項２６】
一つ以上のプロセッサと、
前記一つ以上のプロセッサに結合され、無線通信ネットワークとの通信に適している無線送受信器と、
前記一つ以上のプロセッサに結合されているユーザ・インターフェースと
を含み、前記一つ以上のプロセッサは、
ユーザ・インターフェースを介して、ショートメッセージを通信するためのユーザ入力要求を受信し、
前記ショートメッセージのメッセージ・センタ・アドレス欄の中にホーム・メッセージ・センタと対応するメッセージ・センタ・アドレスを提供し、
前記ユーザ・インターフェースを介して受信した前記ユーザ入力要求が、緊急メッセージであると、前記一つ以上のプロセッサによって識別された場合に、前記ショートメッセージが緊急メッセージであることを示す指示子を、前記ショートメッセージの中に前記一つ以上のプロセッサによって設定し、前記ショートメッセージが緊急メッセージであるとの前記指示子に基づいて、前記ショートメッセージを前記ホーム・メッセージ・センタとは異なる局所の緊急センタへの道順を決める前記無線通信ネットワークへ送信させ、
前記ユーザ・インターフェースを介して受信した前記ユーザ入力要求が、前記一つ以上のプロセッサによって非緊急メッセージであると識別された場合に、前記ショートメッセージの中に前記ショートメッセージが緊急メッセージではないことを示す指示子を設定し、前記ショートメッセージを前記ホーム・メッセージ・センタへの道順を決める前記無線通信ネットワークへ送信させる、
ように作動することができる、移動通信機器。
【請求項２７】
前記ショートメッセージの中の前記指示子は、トランスポート・プロトコル識別子（ＴＰ−ＩＤ）を含んでいる、請求項２６に記載の移動通信機器。
【請求項２８】
前記一つ以上のプロセッサは、
前記ショートメッセージのメッセージ宛先を予め規定されているメッセージ宛先のリストと比較することと、
前記メッセージ宛先が、前記リストの予め規定されているメッセージ宛先と一致している場合に、前記ユーザ入力要求は前記緊急メッセージのためのものであると識別することと、
前記メッセージ宛先が前記リストの予め規定されているすべてのメッセージ宛先と一致していない場合に、前記ユーザ入力要求は非緊急メッセージであると識別することと、
によって、前記ユーザ入力要求が前記緊急メッセージであるかどうかを、前記一つ以上のプロセッサが識別する、
ようにさらに作動することができる、請求項２６に記載の方法。
【請求項２９】
前記一つ以上のプロセッサは、前記ユーザ・インターフェースに提供されている緊急機能が選択されているかどうかを識別することによって、前記ユーザ入力要求が前記緊急メッセージであるかを識別するように作動する、請求項２６に記載の移動通信機器。
【請求項３０】
無線通信ネットワークの中で作動する移動通信機器から緊急性のショートメッセージを通信する無線通信ネットワークのネットワーク・ノードによって使用される方法であって、前記方法は、
前記ネットワーク・ノードにおいて、前記移動通信機器から宛先アドレス欄に宛先アドレスを有する前記ショートメッセージ、前記移動通信機器のホーム・メッセージ・センタと対応するメッセージ・センタ・アドレス欄のメッセージ・センタ・アドレス、および前記ショートメッセージが緊急メッセージであるかどうかを示す指示子欄の指示子を、受信する動作と、
前記指示子が、前記ショートメッセージが非緊急メッセージであることを示している場合に、前記メッセージ・センタ・アドレスに基づき、前記ショートメッセージの前記ホーム・メッセージ・センタへの道順を決める動作と、
前記無線通信ネットワークが、前記移動通信機器のホーム通信ネットワークではないときに、前記指示子が前記ショートメッセージは緊急メッセージであるということを示している場合に、前記ショートメッセージを前記ホーム・メッセージ・センタとは異なる、前記無線通信ネットワークに対して局所的である局所の緊急メッセージ・センタへの道順を決める動作と
を含む、方法。
【請求項３１】
前記ショートメッセージの中の前記指示子は、トランスポート・プロトコル識別子（ＴＰ−ＩＤ）を含む、請求項３０に記載の方法。
【請求項３２】
前記ネットワーク・ノードはモバイル・スイッチング・センタを含む、請求項３０に記載の方法。
【請求項３３】
前記ネットワーク・ノードはサービングＧＰＲＳサポート・ノード（ＳＧＳＮ）を含む、請求項３０に記載の方法。
【請求項３４】
前記識別子が、前記ショートメッセージが緊急メッセージであると示している場合に、前記ショートメッセージの前記緊急メッセージ・センタへの道順を決めるための表において、前記緊急メッセージ・センタの緊急メッセージ・センタ・アドレスを識別すること
をさらに含む、請求項３０に記載の方法。
【発明の詳細な説明】
【技術分野】
【０００１】
（技術分野）
本開示は全般的に無線通信ネットワークを通じた移動通信機器からのショートメッセージの通信に関し、特に移動通信機器がホーム無線ネットワークの外部の（ホームではない）無線ネットワークを訪れている時の緊急性ショートメッセージ（すなわち、ショートメッセージ・サービスまたはＳＭＳメッセージ）の通信に関する。
【背景技術】
【０００２】
（関連技術の記載）
今日の通信システムにおいては、移動通信機器のユーザはショートメッセージ（Ｓｈｏｒｔ  Ｍｅｓｓａｇｅ）をショートメッセージ・サービス（ＳＭＳ：Ｓｈｏｒｔ  Ｍｅｓｓａｇｅ  Ｓｅｒｖｉｃｅ）を介して送信することにより、頻繁に通信することができる。ユーザがＳＭＳメッセージを受信する時は、通常はユーザのホーム・ネットワークであるＳＭＳサービス・センタ（ＳＭＳ−ＳＣ：ＳＭＳ  Ｓｅｒｖｉｃｅ  Ｃｅｎｔｅｒ）経由で送信される。例えば、ユーザのホーム・ネットワークがニューヨーク州ニューヨークであるならば、彼が英国のロンドンをローミングしていて、ホーム・ネットワーク以外にいる間にＳＭＳメッセージを送信する時でさえ、彼のＳＭＳメッセージはホーム・ネットワークであるニューヨークのＳＭＳ−ＳＣを経由して送信される。多くのアプリケーションにとって、ＳＭＳメッセージをユーザのホーム・ネットワーク経由で送信することは問題がない。しかし緊急援助を要求しているＳＭＳメッセージのように、ＳＭＳメッセージが現在訪問しているネットワークのＳＭＳ−ＳＣへ送信され、その内容が局所緊急援助を提供している組織体へ送信されることが好ましい状況もありうる。現在では、ユーザに対し局所緊急援助を提供するために、受信側ユーザのホーム・ネットワークのショートメッセージ組織体（ＳＭＥ：Ｓｈｏｒｔ  Ｍｅｓｓａｇｅ  Ｅｎｔｉｔｙ）が、緊急ＳＭＳメッセージの詳細をユーザが緊急援助を必要としている、現在訪問しているネットワークの局所ＳＭＥへ緊急ＳＭＳメッセージの詳細を供給する必要がある。このような仕組みは、非常に複雑で費用がかかる可能性があり、また遅延と非効率的な援助をもたらす可能性がある。
【発明の開示】
【課題を解決するための手段】
【０００３】
（概要）
本明細書では、移動通信機器を使い、緊急性ショートメッセージを、無線通信ネットワークを介して通信する方法と装置が記述されている。一つの具体的例では、ホーム・メッセージ・センタと関連する第一メッセージ・センタ・アドレス、および緊急メッセージ・センタと関連する第二メッセージ・センタ・アドレスが、移動機器の中のメモリに記憶されている。メモリはサブスクライバ・アイデンティティ・モジュール（ＳＩＭ：Ｓｕｂｓｃｒｉｂｅｒ  Ｉｄｅｎｔｉｔｙ  Ｍｏｄｕｌｅ）のような移動機器用の取り外し可能なメモリ・モジュールである。ショートメッセージを通信するためのユーザ入力要求は、移動機器のユーザ・インターフェースを介して受信される。ユーザ入力要求が、緊急メッセージであると識別されたならば、メモリから第二メッセージ・センタ・アドレスが読み取られ、ショートメッセージのメッセージ・センタ・アドレス欄に供給される。メッセージ・センタ・アドレス欄の中に第二メッセージ・センタ・アドレスを有するショートメッセージは、それから移動機器により無線ネットワークへと送信される。ネットワークは、メッセージ・センタ・アドレス欄の中の第二メッセージ・センタ・アドレスを識別し、応答して、ショートメッセージをネットワークに対して局所である緊急メッセージ・センタへ送信させる。このようにして移動機器がホームではない無線ネットワークを訪問する時は、ショートメッセージは適切な局所緊急メッセージ・センタへと送信されるかもしれない。移動機器は、無線ネットワークのブロードキャスト・チャネルを介して第二メッセージ・センタ・アドレスを受信し、無線ネットワークの無線ネットワーク識別と関連してそれを記憶し得る。代わりとなる技術では、ショートメッセージの指示子（ｉｎｄｉｃａｔｏｒ）（例、トランスポート・プロトコルＩＤ）は、メッセージ・センタ・アドレス欄の中の第二宛先メッセージを供給する代わりに、ショートメッセージは緊急メッセージであることを示すように設定される。
【発明を実施するための最良の形態】
【０００４】
本明細書では、移動通信機器を使い緊急性ショートメッセージを、無線通信ネットワークを介して通信する方法と装置が記述されている。一つの具体例では、ホーム・メッセージ・センタと関連する第一メッセージ・センタ・アドレスおよび緊急メッセージ・センタと関連する第二メッセージ・センタ・アドレスは、移動機器の中のメモリに記憶されている。メモリはサブスクライバ・アイデンティティ・モジュール（ＳＩＭ）のような移動機器用の取り外し可能なメモリ・モジュールである。ショートメッセージを通信するためのユーザ入力要求は、移動機器のユーザ・インターフェースを介して受信される。ユーザ入力要求が、緊急メッセージであると識別された場合に、メモリから第二メッセージ・センタ・アドレスが読み取られ、ショートメッセージのメッセージ・センタ・アドレス欄に供給される。メッセージ・センタ・アドレス欄の中に第二メッセージ・センタ・アドレスを有するショートメッセージは、それから移動機器により無線ネットワークへと送信される。ネットワークは、メッセージ・センタ・アドレス欄の中の第二メッセージ・センタ・アドレスを識別し、応答して、ショートメッセージをネットワークに対して局所である緊急メッセージ・センタへ送信させるようにする。このようにして移動機器がホームではない無線ネットワークを訪問する時は、ショートメッセージは適切な局所緊急メッセージ・センタへと送信されるかもしれない。移動機器は、無線ネットワークのブロードキャスト・チャネルを介して第二メッセージ・センタ・アドレスを受信し、無線ネットワークの無線ネットワーク識別と関連してそれを記憶し得る。代わりとなる技術では、ショートメッセージの指示子（例、トランスポート・プロトコルＩＤ）は、メッセージ・センタ・アドレス欄の中の第二宛先メッセージを供給する代わりに、ショートメッセージは緊急メッセージであることを示すように設定される。
【０００５】
基本的ネットワーク・アーキテクチャを説明するために、図１は無線通信ネットワーク１０４を介して通信する移動通信機器１０２を含む通信システム１００のブロック図を示している。好適な実施例では、移動通信機器１０２は移動局であり、それゆえにこの用語は本明細書のほとんどの場所で使われている。移動局１０２は視覚的表示部１１２、キーボード１１４、および多分一つ以上の補助的ユーザ・インターフェース（ＵＩ）１１６を含んでいて、そのそれぞれがコントローラ１０６に結合されていることが好ましい。コントローラ１０６はまた、無線周波数（ＲＦ）送受信回路１０８、およびアンテナ１１０にも結合されている。
【０００６】
ほとんどの最近の通信機器においては、コントローラ１０６は、図示されてはいないが、メモリ部分の中の作動システム・ソフトウエアを操作する中央演算装置（ＣＰＵ）として具体化されている。通信機能に関連している信号処理動作が、一般的にＲＦ送受信回路１０８で実行される一方、コントローラ１０６は、通常は移動局１０２の全体的制御を行うであろう。コントローラ１０６は機器表示部１１２と接続し、受信された情報、記憶されている情報、ユーザ入力等を表示させる。電話型キーパッド、または全英数字キーボード（好ましくは全クワーティ型キーボード）であり得るキーボード１１４は、通常移動局１０２の中のデータ、ネットワーク１０４への送信用情報、電話をかけるための電話番号、移動局１０２で実行されるべき命令、および多分他の、または異なるユーザ入力を入力するために供給される。
【０００７】
手持ち式、移動式／携帯式の電子機器である移動局１０２は、一つ以上の再充電可能電池１３２を収容し、持ち運び電池インターフェース１３４を含む。電池１３２は移動局１０２の全てではないにせよ、ほとんどの電気回路に電力を供給する。電池インターフェース１３４は、電池１３２用の機械的、電気的接続を供給する。電池１３４は、機器の全ての電気部品に調整電圧Ｖを供給するレギュレータ１３６に結合されている。
【０００８】
移動局１０２はアンテナ１１０を介して無線リンクを介して通信信号をネットワーク１０４と送受信する。ＲＦ送受信回路１０８およびアンテナ１１０は、例えば、変調／復調、ならびに多分、符号化／復号化および暗号化／復号化を含む、基地局１２０およびアンテナ・タワー１１８との機能に類似する機能を実施する。ＲＦ送受信回路１０８は、特定の無線ネットワーク、またはその中で移動局１０２が作動するように意図されているネットワークに適しているということは当業者には明らかであろう。
【０００９】
移動局１０２は、ＳＩＭインターフェース１４２にて移動局１０２に接続されるか挿入されるサブスクライバ・アイデンティティ・モジュール（ＳＩＭ）１４０を使用して作動する。ＳＩＭ１４０は、とりわけ移動局１０２のエンドユーザ（または加入者）を識別し、または個人専用のものにするために使用される従来の「スマート・カード」の一つである。無線ターミナルは、ＳＩＭ１４０なしには無線ネットワ−ク１０４を介しての通信に十分に作動しない。ＳＩＭ１４０を無線ターミナルへ挿入することにより、エンドユーザは彼／彼女が加入している全てのサービスに対してアクセスすることができる。加入者を識別するためにＳＩＭ１４０は、インターナショナル・モバイル・サブスクライバー・アイデンティティ（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）などのいくつかのユーザ・パラメーターを含む。加えてＳＩＭ１４０は、一般的にその中に記憶されていて、ユーザのみに知られている４桁の個人識別番号（ＰＩＮ：Ｐｅｒｓｏｎａｌ  Ｉｄｅｎｔｉｆｉｃａｔｉｏｎ  Ｎｕｍｂｅｒ）により保護される。ＳＩＭ１４０を使用する利点は、エンドユーザが必ずしもいかなる単一の物理的無線機器にも束縛されないということである。一般的に無線端末を個人専用のものにする要素は、ＳＩＭカードのみである。それゆえユーザは、ユーザのＳＩＭで作動する機能を備えているいかなる無線端末を使用しても加入しているサービスにアクセスすることができる。
【００１０】
移動局１０２は、データ通信機器、携帯電話、データおよび音声通信性能を備えている多機能通信機器、無線通信が可能なパーソナル・デジタル・アシスタント（ＰＤＡ）、または内部モデムを実装しているコンピュータのような単体のユニットからなる。代わりに移動局１０２は、無線モデムに接続されているコンピュータまたは他の機器であるが、それらに限定されない機器を含む、複数の別個の要素を有する多モジュール・ユニットであり得る。特に、例えば、図１の移動局のブロック図では、ＲＦ送受信回路１０８およびアンテナ１１０は、ラップトップ・コンピュータのポートに挿入されている無線モデム・ユニットとして組み込まれているかもしれない。この場合ラップトップ・コンピュータは表示部１１２、キーボード１１４、一つ以上の補助ＵＩ１１６、およびコンピュータのＣＰＵを具体化しているコントローラ１０６を含むであろう。また通常無線通信をすることができないコンピュータまたは他の装置は、上述の機器の一つのような単一機器であるＲＦ送受信回路１０８およびアンテナ１１０に接続されることに適応し、それらの制御を効率的にすることが想定される。
【００１１】
図１では移動局１０２は無線通信ネットワーク１０４を介して通信する。図１の実施例では、無線ネットワーク１０４は、グローバル・システム・フォー・モバイル・コミュニケーションズ（ＧＳＭ）および汎用パケット無線システム（ＧＰＲＳ）技術に従って作動するネットワークである。無線ネットワーク１０４は、アンテナ・タワー１１８と共に基地局１２０、モバイル・スイッチング・センタ（ＭＳＣ）１２２、ホーム・ロケーション・レジスタ（ＨＬＲ）１５０、サービング・ジェネラル・パケット・ラジオ・サービス（ＧＰＲＳ）サポート・ノード（ＳＧＳＮ）１２６、およびゲートウエイＧＰＲＳサポート・ノード（ＧＧＳＮ）１２８を含む。ＭＳＣ１２２は基地局１２０、および陸線ネットワーク１２４（例、公衆回線電話ネットワークまたはＰＳＴＮ）のような電話回線に結合される。ＳＧＳＮ１２６は基地局１２０、およびＧＧＳＮ１２８に結合される。ＧＧＳＮ１２８はさらに（インターネットのような）公共または個人データ・ネットワーク１３０に結合される。ＨＬＲ１５０はＭＳＣ１２２、ＳＧＳＮ１２６およびＧＧＳＮ１２８に結合される。
【００１２】
関連コントローラおよびアンテナ・タワー１１８を含む基地局１２０は、一般に「セル」と称される特定の受信可能領域用の無線ネットワーク受信可能範囲を供給する。基地局１２０は、アンテナ・タワー１１８を介してそのセルの中で移動局から通信信号を送受信する。基地局１２０は通常、特定の通常は予め決められている通信プロトコルおよびパラメータに従い、コントローラの制御のもとで移動局へ送信されるべき信号の変調、ならびに符号化および／または暗号化というような機能を実施する。基地局１２０は、必要であれば、セル内の移動局１０２から受信した任意の通信信号に対し、同様に復調、ならびに多分復号および暗号復号を行う。通信プロトコルおよびパラメータは、異なるネットワーク間で変わるかもしれない。例えば、一つのネットワークは異なる変調方式を採用し、他のネットワークとは異なる周波数で作動しているかもしれない。
【００１３】
図１の通信システム１００の中で示されている無線リンクは、一つ以上の異なるチャネル、一般的に異なる無線周波数（ＲＦ）チャネル、ならびに無線ネットワーク１０４と移動局１０２との間で使用されている関連するプロトコルを表している。ＲＦチャネルは、一般的に全帯域幅に限度があり、移動局１０２の電池の容量に限度があるので、大切に扱われるべき、限られている資源である。当業者は、実際の運用面では無線ネットワークは、それぞれがはっきりしている基地局１２０および送受信器にサポートされている所望の全ネットワーク受信可能範囲の規模によって、数百ものセルを含むかもしれないということを理解するであろう。全ての基地局コントローラおよび基地局は、図示されてはいないが多数のスイッチおよびルータによって接続され、多数のネットワーク・コントローラによって制御されているかもしれない。
【００１４】
ネットワーク・オペレータによって登録されている全ての移動局１０２に対して、一時的データ（移動局１０２の現在位置のような）のみならず恒久的データ（移動局１０２のユーザ・プロファイルのような）はＨＬＲ１５０に記憶される。移動局１０２に対する音声呼の場合は、ＨＬＲ１５０は移動局１０２の現在の位置を判断するように問われる。ＭＳＣ１２２のビジタ・ロケーション・レジスタ（ＶＬＲ）は、ロケーション領域グループに対して責任があり、現在自己の責任範囲の領域内にある移動局のデータを記憶する。これにはより早いアクセスのためにＨＬＲ１５０からＶＬＲへと送信された恒久的移動局データの部分が含まれる。しかしながら、ＭＳＣ１２２のＶＬＲは、一時的識別のような局所データを割り当て、記憶するかもしれない。またオプションとして、ＭＳＣ１２２のＶＬＲは、ＧＰＲＳおよび非ＧＰＲＳサービスおよび機能（例えば、より効率的にＳＧＳＮ１２６、ならびにＧＰＲＳおよび非ＧＰＲＳの位置更新を介して実行されうる回路でスイッチされる呼の呼び出し）のために、より効率的な連携のために増強されうる。
【００１５】
ＭＳＣ１２２は、ショートメッセージ・サービス（ＳＭＳ）メッセージの通信用のメッセージ・センタであるショートメッセージ・サービス・サービス・センタ（ＳＭＳ−ＳＣ）１５４に結合されている。ＳＭＳは、ショートメッセージを中継するための記憶・送付システムとして役割をはたすＳＭＳ−ＳＣ１５４を使用する。メッセージは、宛先の機器に到達するまでネットワークの中に記憶されるので、エンドユーザは音声呼の使用中か否かにかかわらず、いつでもＳＭＳメッセージを受信し、送信することができる。
【００１６】
ＧＰＲＳネットワークの一部であるサービング・ＧＰＲＳサポート・ノード（ＳＧＳＮ）１２６は、ＭＳＣ１２２と同じ階層レベルであり、移動局の個々の位置を追跡する。ＳＧＳＮ１２６は、セキューリティ機能およびアクセス制御も実施する。ゲートウエイＧＰＲＳサポート・ノード（ＧＧＳＮ）１２８は、外部のパケット・サイズのネットワ−クとの相互作用を提供し、ＩＰベースＧＰＲＳバックボーン・ネットワークを介して（ＳＧＳＮ１２６のような）ＳＧＳＮと接続させられる。ＳＧＳＮ１２６は、現行のＧＳＭと同じアルゴリズム、鍵、基準に基づいて認証および暗号設定手続きを実施する。従来の動作では、セル選択は移動局１０２、または移動局１０２に特定のセルを選択するよう指示する基地局１２０によって自律的に実施されるかもしれない。移動局１０２はルーティング・エリアとして知られている他のセルまたはセルグループを再選択する時に無線ネットワーク１０４へ知らせる。
【００１７】
ＧＰＲＳサービスにアクセスするために、移動局１０２は、ＧＰＲＳ「アタッチ」として知られている動作を行うことによって、先ず自身の存在を無線ネットワーク１０４に知られるようにする。この動作は移動局１０２およびＳＧＳＮ１２６の間に論理的リンクを成立させ、移動局１０２を例えばＳＧＳＮを介して呼び出し、着信ＧＰＲＳデータの通知、またはＧＰＲＳを介したＳＭＳメッセージを受信可能な状態にさせる。ＧＰＲＳデータを送信または受信するために、移動局１０２は自身が使用することを望むパケット・データ・アドレスを活性化させることを援助する。この動作によって移動局１０２はＧＧＳＮ１２８に知られるようになる。それから外部のデータ・ネットワークとの相互作用を始めることができる。ユーザ・データはユーザが気づくことなく、例えば、カプセル化およびトンネリングを使用して、移動局１０２と外部データ・ネットワークとの間で転送される。データ・パケットはＧＰＲＳに固有のプロトコル情報および移動局１０２とＧＧＳＮ１２８の間で転送されたデータを備えている。
【００１８】
以上で明らかであるように、無線ネットワークは、ＲＦ送受信器、増幅器、基地局コントローラ、ネットワーク・サーバ、およびネットワークに接続されているサーバを含む固定ネットワーク要素を備えている。当業者は、無線ネットワークが、図１には明白に示されていない可能性のある他のネットワークを含む他のシステムに接続され得るということを理解するであろう。ネットワークは、一般的に実際の交換されるパケット・データがない場合でも、少なくとも通常の通信の中である種の呼び出しおよびシステム情報を送信する。ネットワークは多くの部品より成り立っているが、これらの部品は全て一緒に作用し、無線リンクにおいて特定の挙動をもたらす。
【００１９】
図２は、図１のシステム１００において使われ得る好ましい移動局２０２の詳細なブロック図である。移動局２０２は、少なくとも他のコンピュータ・システムとの通信性能を含む、音声およびデータ通信性能を有する双方向通信機器である。移動局２０２によって供給される機能性に応じて、データ・メッセージング機器、双方向ページャ、データ・メッセージング性能を備えた携帯電話、無線インターネット装置、または（電話性能の有無に関係なく）データ通信機器としても呼ばれ得る。移動局２０２は、一つ以上の再充電可能電池２５６を収容する電池インターフェース２５４を含む。このような電池２５６は、全てではないにせよ、ほとんどの移動局２０２の中の電気回路に電力を供給する。電池２５４は、それに対して機械的および電気的な接続を提供する。電池インターフェース２５４は、図２には示されていないが、全回路への電力を調整するレギュレータに結合されている。
【００２０】
移動局２０２は、通常は受信器２１２、送信器２１４、ならびに一つ以上の（好ましくは埋め込まれているか、内蔵の）アンテナ要素２１６および２１８、局所発振器（ＬＯ）２１３、およびデジタル信号プロセッサ（ＤＳＰ）２２０のような処理モジュールを含む通信サブシステム２１１を実装するであろう。通信サブシステム２１１は、図１に示されているＲＦ送受信回路１０８およびアンテナ１１０に類似している。通信の分野における当業者にとっては明らかとなるであろうが、通信サブシステム２１１の特定の設計は、移動局２０２が作動するように意図されている通信ネットワークに依存している。
【００２１】
ネットワークアクセスの要件は、また使われているネットワークの形式によって変わるであろう。ＧＰＲＳネットワークでは、例えば、ネットワークへのアクセスは、移動局２０２の加入者またはユーザに関連している。それゆえにＧＰＲＳ機器は、ＧＰＲＳネットワークを作動させるために、一般的にＳＩＭカード（すなわち、図２のＳＩＭ２６２）と呼ばれているサブスクライバ・アイデンティティ・モジュールを必要とする。ＳＩＭインターフェース２６４にＳＩＭ２６２が挿入されていない場合は、移動局２０２は完全には機能しないであろう。局所または非局所通信機能は（もしあれば）作動可能かもしれないが、移動局２０２はネットワークを介しての通信を含むいかなる機能も実行することはできないであろう。ＳＩＭ２６２は、図１に関係して記述されているこれらの特性（すなわち、図１のＳＩＭ１４０に対して記述されているもの）を含む。
【００２２】
移動局２０２は、必要とされるネットワーク登録または起動手続きが終了した後で、通信信号を、ネットワークを介して送受信する。ネットワークを介してアンテナ２１６により受信された信号は、信号増幅、周波数ダウン・コンバージョン、フィルタリング、チャネル選択等、および図２の例に示されているように、アナログ・デジタル（Ａ／Ｄ）変換というような一般的受信器能を実施する受信器２１２へと入力される。受信した信号のＡ／Ｄ変換は、ＤＳＰ２２０で実施されるべき復調および復号というようなより複雑な通信機能の実施を可能にする。同様に送信されるべき信号は、例えばＤＳＰ２２０による変調および符号化を含む処理をされる。これらのＤＳＰにより処理された信号は、デジタル・アナログ（Ｄ／Ａ）変換、周波数アップ・コンバージョン、フィルタリング、増幅、およびアンテナ２１８を介して、通信ネットワークよりの送信のために送信器２１４へ入力される。ＤＳＰ２２０は通信信号を処理するだけでなく、受信器および送信器の制御もはたす。例えば受信器２１２および送信器２１４の通信信号に適用されるゲインは、ＤＳＰ２２０に組み込まれている自動ゲイン制御アルゴリズムを介して適応制御される。
【００２３】
移動局２０２は、移動局２０２の全体の動作を制御する（図１のコントローラ１０６の一部である）マイクロプロセッサ２３８を含む。少なくともデータおよび音声通信を含む、通信機能は、通信サブシステム２１１を介して実施される。マイクロプロセッサ２３８はまた、例えば、表示部２２２、フラッシュ・メモリ２２４、ランダム・アクセス・メモリ（ＲＡＭ）２２６、補助入力／出力（Ｉ／Ｏ）サブシステム２２８、シリアルポート２３０、キーボード２３２、スピーカ２３４、マイクロフォン２３６、短距離通信サブシステム２４０、および一般的に２４２に示されているほかの機器サブシステムのような付加的な機器サブシステムと交信する。データおよび制御ラインはＳＩＭインターフェース２６４とマイクロプロセッサ２３８との間に、データの相互通信および制御のために延びている。図２に示されているサブシステムの内のいくつかは、通信関係の機能を実施する一方、他のサブシステムは「常駐の」または機器上の機能を供給する。特に、例えばキーボード２３２および表示部２２２のようないくつかのサブシステムは、通信ネットワークを介しての通信へのテキスト・メッセージの挿入のような通信関係の機能、および計算機やタスク・リストのような機器に常駐している機能の両方に使用され得る。マイクロプロセッサ２３８によって使用されているオペレーティング・システム・ソフトウエアは、フラッシュ・メモリ２２４のような持続性のある保存場所で記憶されることが望ましいが、代わりに図示されてはいないが、読み取り専用メモリ（ＲＯＭ）または同様の記憶要素を用いても良い。当業者は、オペレーティング・システム、特定の機器のアプリケーション、またはそれらの部品がＲＡＭ２２６のような揮発性の保存場所に一時的に読み込まれ得るということを理解するであろう。
【００２４】
マイクロプロセッサ２３８は、オペレーティング・システム機能に加えて移動局２０２上でソフトウエアのアプリケーションの実施を可能にすることが好ましい。少なくともデータおよび音声通信アプリケーションを含む基本的な機器の作動を制御する、アプリケーションの予め決められているセットは、通常製造時に移動局２０２にインストールされる。移動局２０２にインストールされ得る好ましいアプリケーションは、ｅメール、カレンダー行事、ボイス・メール、アポイント、およびタスク項目などのような、ユーザに関係しているデータ項目を組織化して管理する能力を持つパーソナル・インフォメーション・マネージャ（ＰＩＭ）アプリケーションであるが、これらには限定されない。当然ＰＩＭデータ項目および他の情報の記憶を可能にするために、一つ以上のメモリ保存場所が、移動局２０２ならびにＳＩＭ２５６上にある。
【００２５】
ＰＩＭアプリケーションは、無線ネットワークを介してデータ項目を送受信する能力をもっていることが好ましい。ある好適な実施例では、ＰＩＭデータ項目は、これらの項目に関して移動局２０２上に全く同じホスト・コンピュータを形成するホスト・コンピュータ・システムに記憶されている、および／または関連付けられている移動局ユーザの対応データ項目と共に、継ぎ目がなく統合され、同期化され、無線ネットワークを介して更新される。これはホスト・コンピュータ・システムが、移動局ユーザのオフィス・コンピュータ・システムである場合に特に有利である。付加的アプリケーションは、ネットワーク、補助的Ｉ／Ｏサブシステム２２８、シリアルポート２３０、短距離通信サブシステム２４０、または他の適切なサブシステム２４２を介して移動局２０２にインストールされたり、ユーザによりＲＡＭ２２６、または好ましくは、図示はされていないが、非揮発性保存場所にマイクロプロセッサ２３８による実行のためにインストールされたりし得る。このようなアプリケーションのインストールにおける柔軟性は移動局２０２の機能性を増加させ、強化された機器上の機能、通信関連の機能、またはその双方を供給する。例えば、安全な通信アプリケーションは、移動局２０２を使用して実施される電子商取引機能、およびこのような金融取引を可能にするかもしれない。
【００２６】
データ通信モードでは、ダウンロードされたテキスト・メッセージまたはウェブ・ページのような受信信号は、通信サブシステム２１１によって処理され、マイクロプロセッサ２３８へ入力されるであろう。マイクロプロセッサ２３８は、好ましくは表示部２２２、または代わりに補助Ｉ／Ｏ機器２２８への出力のために、信号をさらに処理するであろう。移動局２０２のユーザは、例えば表示部２２２およびおそらくは補助Ｉ／Ｏ機器２２８と共に、キーボード２３２を使用することにより、ｅメール・メッセージまたはショートメッセージ・サービス（ＳＭＳ）メッセージのようなデータ項目を作成することができるかもしれない。キーボード２３２は完全な英数字キーボードおよび／または電話型キーパッドであることが好ましい。これらの作成された項目は通信サブシステム２１１を介して通信ネットワークにより送信されるかもしれない。ｅメール・メッセージ情報の取扱いと送達は、図４〜６に関連して後述される。
【００２７】
音声通信に対しては、受信した信号がスピーカ２３４へ出力されること、および送信用の信号がマイクロフォン２３６で生成されることを除いては、移動局２０２の全体の作動はほとんど同じである。音声メッセージ記録サブシステムのような代わりの音声またはオーディオＩ／Ｏサブシステムもまた移動局２０２に組み込まれるかもしれない。音声またはオーディオ信号出力は、好ましくは第一にスピーカ２３４を介してなされるが、表示部２２２も他の例の通り発呼者の身元、音声呼の時間、または音声呼関連情報の表示を提供するために使用され得る。
【００２８】
図２のシリアルポート２３０は、エンドユーザのデスクトップ・コンピュータとの同期が好ましい、オプションの要素ではあるが通常パーソナル・デジタル・アシスタント（ＰＤＡ）型通信機器に組み込まれている。シリアルポート２３０は、エンドユーザが外部の機器またはソフトウエア・アプリケーションを介して優先順位を設定することを可能にし、無線通信ネットワーク以外で移動局２０２への情報またはソフトウエア・ダウンロードを供給することにより移動局２０２の性能を強化する。代わりのダウンロードの経路は、例えば直接的な、ひいては信頼できる、安心な安全機器通信を提供する接続を介して、暗号鍵を移動局２０２にロードする時に使用できる。
【００２９】
図２の短距離通信サブシステム２４０は、必ずしも同じような機器である必要はないが、移動局２０２および異なるシステムまたは機器の間の通信をサポートする付加的で任意の要素である。例えばサブシステム２４０は、赤外線機器、ならびに関連する回路および要素、または同じような性能のあるシステムおよび機器との通信をサポートするＢｌｕｅｔｏｏｔｈ（登録商標）通信モジュールを含み得る。ＢｌｕｅｔｏｏｔｈはＢｌｕｅｔｏｏｔｈ  ＳＩＧ社の商標である。
【００３０】
図３は、少なくとも好適な実施例の一つに示されている現行技術が実行され得る、図１の無線通信システム１００の適切な要素の典型的な環境である。この例では、移動機器１０２は、局所ＳＭＳ−ＳＣ３０６を有するホームではない無線通信ネットワーク（「局所ネットワーク」）３０４を訪問し、登録されようとしているように示されている。通常は移動機器１０２によって送信されたＳＭＳメッセージは、局所無線ネットワーク３０４、および従来の陸線通信ネットワークまたは広域ネットワークのような通信ネットワーク３０２を介して、そのホーム無線ネットワーク１１０に関連するホームＳＭＳ−ＳＣ１５４に到達するであろう。しかし緊急援助を要求しているＳＭＳメッセージのようなある種のＳＭＳメッセージに対しては、移動電話１０２から送信されたＳＭＳメッセージは、局所無線ネットワーク３０４の中の局所ＳＭＳ−ＳＣ３０６への道順を決められ、ＳＭＳメッセージの内容は局所緊急援助を提供する組織体へと送信される。
【００３１】
図４は、訪問中の移動機器（例、図３、移動機器１０２）によって発せられ、少なくとも好適な実施例の一つに従って、局所無線ネットワーク（例、図３、無線ネットワーク３０４）を介して局所ショートメッセージ・サービス・センタ（例、図３、ＳＭＳ−ＳＣ３０６）へ送信される、ショートメッセージの道順を決めるプロセスを説明している典型的なフローチャート４００である。図４のブロック４０２では、局所無線ネットワークは、移動機器からのメッセージの宛先を有するＳＭＳメッセージを受信する。通常はメッセージの宛先は、移動機器のユーザが手動で挿入または選択し、トランスポート・プロトコル・宛先・アドレス（「ＴＰ−ＤＡ」）として公知な、対象とする受取人のアドレスである。緊急性のショートメッセージの場合は、ＴＰ−ＤＡは、ショートメッセージが緊急性のある状況に関連していることを示すとして公知な「９１１」、「１１２」、「９９９」、または予め規定されているコードのような短い電話コードである。移動機器は送達用のメッセージの中に道順情報（例、ホームＳＭＳ−ＳＣのアドレス）を自動的に挿入する。
【００３２】
移動機器からのメッセージの受信に応じて、局所無線ネットワークは、ＴＰ−ＤＡを調べ、適当なＳＭＳ−ＳＣへの道順を決める。局所無線ネットワークは、予め規定され、記憶されているショートメッセージの宛先リストを有しており、そのリストは移動機器から適当な局所の宛先へのＳＭＳメッセージの道順を決めるために使用される。予め規定されたショートメッセージの宛先は、限定するものではないが、警察、消防署、病院、「９１１」、「１１２」、「９９９」または緊急センタと関連している他の宛先のような複数の緊急センタ宛先であるか、それらを含んでいる。図４のブロック４０４では、局所ネットワークはメッセージの宛先（すなわち、ＴＰ−ＤＡ）を予め規定され記憶されているショートメッセージ宛先と比較する。ブロック４０４の中で一致した場合に、局所無線ネットワークは、ＳＭＳメッセージを、移動機器から、図４のブロック４０６の中の予め規定されているショートメッセージのリストのうちの宛先の一致する予め規定されているショートメッセージの宛先に関連する局所の宛先への道順を決める。局所の宛先は、局所ＳＭＳ−ＳＣまたは局所に位置する緊急センタであり得る。各々の緊急センタ宛先は、関連する局所に位置する緊急センタのショートメッセージ宛先を有しているかもしれない。局所無線ネットワークは、ＳＭＳメッセージの局所の宛先への道順を、元のメッセージ宛先を局所の宛先と置き換え、ショートメッセージを局所の宛先へと送信すること；ショートメッセージを局所の宛先へ転送すること；局所の宛先を有する新ショートメッセージを生成し、元のショートメッセージを新ショートメッセージに付け加え、その付け加えられたショートメッセージを有する新ショートメッセージを局所の宛先へ送信すること、を含む様々な方法によって決定し得る。
【００３３】
図５は、図４に従って緊急性ショートメッセージを局所の宛先へと道順を決めるように構成されている、局所無線ネットワークのネットワーク要素の典型的なブロック図５００である。局所無線ネットワーク１０４は、図１〜３の中の移動機器１０２のような局所的に登録された移動機器から、メッセージ宛先を有するショートメッセージを受信するように構成されているショートメッセージ受信器５５０を有している。局所無線ネットワーク１０４は、予め規定されているショートメッセージの宛先の事前に記述されたリストを記憶するように設定されているメモリ装置５０４を有している。メッセージ宛先評価器５０６は、ショートメッセージ受信器５５０、およびメモリ５０４双方に結合され、メッセージ宛先をメモリ５０４の中の予め規定されているショートメッセージ宛先のリストの予め規定されているショートメッセージ宛先と一致させるように設定されている。メッセージ宛先リダイレクタ（ｍｅｓｓａｇｅ  ｄｅｓｔｉｎａｔｉｏｎ  ｒｅｄｉｒｅｃｔｏｒ）５０８は、メッセージ宛先評価器５０６に結合され、ショートメッセージを、予め規定されているショートメッセージ宛先のリストの予め規定されているショートメッセージ宛先の一致作業に関連する局所の宛先にリダイレクトするように構成されている。メッセージ宛先リダイレクタ５０８は、メッセージ宛先をされに局所の宛先にリダイレクトするかもしれない。ショートメッセージ送信器５１０は、メッセージ宛先リダイレクタ５０８に結合され、ショートメッセージを局所の宛先（例、図３、局所ＳＭＳ−ＳＣ３０６）へと送信するように構成されている。ショートメッセージ送信器５１０は、ショートメッセージを局所の宛先へ転送するようにさらに設定されている。局所無線ネットワーク３０４はまた、メッセージ宛先リダイレクタ５０８およびショートメッセージ送信器５１０に結合され、局所の宛先を有している新ショートメッセージを生成し、ショートメッセージを新ショートメッセージに添付するように設定されている、メッセージ生成器を有している。
【００３４】
代わりに移動機器自身は、局所ＳＭＳ−ＳＣのようにＳＭＳメッセージを適当な宛先にリダイレクトする。図６は、好適な実施形態のうちの少なくとも１つにしたがう、移動機器によって発せられたＳＭＳメッセージを局所ＳＭＳ−ＳＣへと少なくとも好適な実施例の一つにしたがって移動機器によって道順を決めるプロセスを示す、典型的なフローチャート６００である。移動機器はそれ自身の一つ以上のプロセッサ（例えば、マイクロプロセッサ）を使い、方法のステップ、または特に後で図７に関連して記述されている機能的要素を実施する。
【００３５】
図６のブロック６０２において、移動機器は、メッセージ宛先を予め規定されているショートメッセージ宛先リストを受信する。移動機器は、局所ネットワーク３０４のような移動機器のホームではないネットワークに登録された後に、予め規定されているショートメッセージ宛先のリストを受信し得る。図６のブロック６０４において、移動機器はメッセージ宛先を有するＳＭＳメッセージを生成する。一般的に、前述したとおりメッセージ宛先は、トランスポート・プロトコル・宛先アドレス（「ＴＰ−ＤＡ」）として公知な、移動機器のユーザが手動で挿入する、または選択することが意図されている受信者のアドレスである。緊急性のショートメッセージの場合は、ＴＰ−ＤＡは「９１１」、「１１２」、「９９９」、またはショートメッセージが緊急の状態に関することを示すことが公知な他の予め規定されている短い電話コードであろう。移動機器は、また道順情報（例、ホームＳＭＳ−ＳＣのアドレス）を、送達用メッセージに自動的に挿入する。
【００３６】
移動機器はメッセージ宛先を図６のブロック６０６の中の予め規定されているショートメッセージ宛先のリストと比較する。メッセージ宛先が、予め規定されているショートメッセージ宛先のリストの予め規定されているショートメッセージ宛先と一致している場合に、移動機器はＳＭＳメッセージを図６のブロック６０８中の予め規定されているショートメッセージ宛先のリストのうちの一致する予め規定されているショートメッセージ宛先に対応する局所の宛先へと送信する。移動機器は、元のメッセージ宛先を、例えば予め規定されている局所の宛先の局所リストと一致する予め規定されているショートメッセージ宛先に対応する局所の宛先と置き換えることにより、ＳＭＳメッセージを局所の宛先へ送信するかもしれない。
【００３７】
図７は、図６に従ってショートメッセージの局所ＳＭＳ−ＳＣへの道順を決めるように構成されている移動機器１０２の典型的なブロック図７００である。移動機器１０２は、その一つ以上のプロセッサ（例、マイクロプロセッサ）の図７の中で機能的要素を具体化する。図に示されているように、移動機器１０２は、局所無線ネットワーク３０４から上述した予め規定されているショートメッセージ宛先のリストを受信するように構成されている受信器７０２を有している。移動機器１０２は、また予め規定されているショートメッセージ宛先のリストを記憶するように構成されている受信器７０２に結合されているメモリ機器７０４を有している。受信器７０２は、移動機器１０２が局所無線ネットワーク３０４のようなホームではないネットワークに登録した後でのみ、予め規定されているショートメッセージ宛先のリストを受信するように構成され得る。移動機器１０２はまた、メッセージ宛先を有するショートメッセージを生成するように構成されているショートメッセージ生成器７０６を含む。宛先比較器７０８は、メモリ機器７０４およびショートメッセージ生成器７０６に結合され、メッセージ宛先を、メモリ機器７０４に記憶されている予め規定されているショートメッセージ宛先のリストの予め規定されているショートメッセージ宛先と一致させるように構成されている。送信器７１０は、宛先比較器７０９に結合され、ショートメッセージを予め規定されているショートメッセージ宛先のリストに一致する予め規定されているショートメッセージ宛先に対応する局所の宛先へと送信するように設定されている。宛先比較器７０８は、メッセージ宛先を、予め規定されている局所の宛先の局所リストに一致する予め規定されているショートメッセージ宛先に対応する局所の宛先と、置き換えるようにさらに設定され得る。
【００３８】
図８は、移動機器からのショートメッセージを開始する際に使用する情報、およびプロンプトを表示するための移動機器の視覚的表示部２２２の具体的例である。記述されるべきユーザ・インターフェースの方法は、移動機器からショートメッセージを発するために本明細書で記述されている技術の中で用いられているかもしれない。一般的に移動機器のプロセッサは、ショートメッセージの送信に対するユーザ入力要求に応じて、図８の情報およびプロンプトを視覚的表示部２２２に表示させるように作動する。プロセッサは、キーボード２３２または同様のユーザ・インターフェースを介して、ユーザにより手動で挿入され得る英数字テキスト入力欄８５２の中のショートメッセージに対する英数字テキスト情報を受信する。図８では英数字テキスト入力欄８５２の中の英数字テキスト情報は、ショートメッセージが「助けて！手助けをシカゴの西バートル４１６に送って！」という緊急性のものであることを示している。プロセッサは、キーボード２３２等を介してユーザにより手動で入力され得るショートメッセージに対する宛先欄８５０の中の（電話番号またはコードに対する）宛先アドレス情報も受信する。図８では、宛先アドレス情報ショートメッセージが、「９１１」というショート電話コードであるため緊急性のものであることを示している。
【００３９】
プロセッサは、複数の視覚的プロンプト８３０の内一つ以上を視覚的表示部２２２に表示させ得る。視覚的プロンプト８３０のどれかは、カーソル８１２または位置マーカーを使用できる、例えば、キーボード２３２（例、上下および左右キー）スクロール・ホイール、トラックボールのような、移動機器の適切な入力器を使用して移動機器のユーザによって選択されるか作動され得る。
【００４０】
図８では、視覚的プロンプト８３０は、一般的な標準的方法でショートメッセージを送信する際に使用する送信メッセージ・プロンプト８５４を含む。視覚的８３０は、また一般的な緊急サービスのための緊急性ショートメッセージを送信する際に使用する緊急メッセージ・プロンプト８０２も含み得る。表示され得る他の視覚的プロンプト８３０は、より特殊なものであり、例えば警察署用緊急メッセージ・プロンプト８０４、消防署用緊急メッセージ・プロンプト８０６、救急車／病院用緊急メッセージ・プロンプト８０８を含む。視覚的プロンプト８３０は、図８ではグラフィカル・ユーザ・インターフェース（ＧＵＩ）型ユーザ作動対象物として示されているが、代わりに視覚的プロンプト８３０は、メニュー機能リストの中の機能として表示され得る。より一般的には、適当な緊急機能は、どれでも緊急メッセージを送信する際に使用するためにユーザ・インターフェースに供給されるかもしれない。英数字テキスト入力欄８５２の中に英数字テキスト情報が入力され、視覚的プロンプト８３０の一つがユーザによって作動または選択された時に、プロセッサはショートメッセージが処理されて適切な宛先に送信されるようにする。
【００４１】
一つのバリエーションにおいて、緊急サービス用視覚的プロンプト８０２、８０４、８０６および８０８のいずれか一つまたは全てが、宛先アドレス欄８５０および／または英数字テキスト入力欄８５２に先立って、かつ／またはそれらの代わりに表示され得る。この場合、ユーザは視覚的表示部２２２の中に示されている選択肢を介して、緊急サービス用視覚的プロンプト８０２，８０４、８０６および８０８が表示されるまで指示する。状況に応じてユーザは、ユーザ・インターフェースを介して、緊急状況に関連する視覚的プロンプト８０２、８０４、８０６または８０８の一つを作動させるか、選択する。これらの視覚的プロンプト８０２、８０４、８０６または８０８の一つが作動したことを探知すると、プロッセッサを、視覚的プロンプト８０２、８０４、８０６または８０８に関連する適切な宛先／道順情報をメモリから識別させ、選択させ、またはこのような情報を送達するメッセージの中に挿入させ（例、後述の説明を参照のこと）、ユーザがユーザ・インターフェースを介して手動で英数字テキスト情報を入力できるように、英数字テキスト入力欄８５２を表示させる。選択された宛先アドレスおよび宛先アドレス欄８５０は視覚的表示部２２２に表示されるかもしれないし、されないかもしれない。他の方法として、英数字テキスト情報は、ユーザによって必要とされるテキストの手動による入力なしに、移動機器のプロセッサによって予め入力されている予め規定された英数字のテキスト情報であり得る。
【００４２】
このようにして視覚的プロンプト８０２、８０４、８０６および８０８を使用することにより、ユーザは宛先アドレス入力を試みる必要はなく、緊急状態に関連する適切な視覚的プロンプト８０２、８０４、８０６および８０８を選択するよう試みるだけで良い。これはユーザが訪問している場所について良く知らないことにより、これらの宛先アドレスが分からない場合、またはホームでのアドレスと異なる場合に特に重要である。
【００４３】
図９は移動機器からの緊急性ショートメッセージを通信する際に使用する方法を記述するプロセス・フロー図である。図９に関係して記述されている技術は、一つ以上のプロセッサ（例えば、マイクロプロセッサ）を使用する移動通信機器により実施され得る。モバイル・スイッチング・センタ（ＭＳＣ）またはサービング・ジェネラル・パケット・ラジオ・サービス（ＧＰＲＳ）サポート・ノード（ＳＧＳＮ）のような無線ネットワーク中の一つ以上のネットワークエンティティまたは要素により補助的技術が実施され得る。
【００４４】
図９のプロセスに関係するショートメッセージを通信するために、移動機器１０２のメモリは、ホーム・メッセージ・センタに関連する第一メッセージ・センタ・アドレス、および緊急メッセージ・センタに関連する第二メッセージ・センタ・アドレスを記憶する。第一および第二メッセージ・センタ・アドレスを記憶するために使用されるメモリは、ＳＩＭのような取り外し可能なメモリ・モジュールであることが好ましい。例として、下記の表１で述べられているように（Ｙ＋１９からＹ＋３０のオフセット欄を参照のこと）第二メッセージ・センタ・アドレスは、取り外し可能なメモリ・モジュール（例、ＳＩＭ）に記憶され得る。
【００４５】
【表１】
2009516965.tif 000003
他の例として、第二メッセージ・センタ・アドレスは、下の表２の中に提供されている取り外し可能なメモリ・モジュールの新しい欄に記憶される（バイト１〜１２を参照のこと）：
【００４６】
【表２】
2009516965.tif 000004
第二メッセージ・センタ・アドレスは、Ｅ．１６４または他の適切なフォーマット・タイプ（例、Ｅ．２１２またはＥ．２１４）に基づいている有効なフォーマットを有する「グローバル・タイトル」アドレスとして呼ばれるかもしれない。第二メッセージ・センタ・アドレスは、緊急メッセージ・センタに直接関連するアドレス、または代わりに適切な緊急メッセージ・センタに着くまでネットワーク中の多数の通信ホップが実施される、メッセージ・センタに間接的に関連するアドレスであるかもしれない。代わりに第二メッセージ・センタ・アドレスは有効なアドレスではなく、むしろ、ショートメッセージのための緊急メッセージの道順決めを実行するために、単純にネットワークに対する指示として機能する。緊急メッセージ・センタ用の適当なメッセージ・センタ・アドレスが、ショートメッセージの中の第二メッセージ・センタ・アドレス表示に基づいて、記憶されている表から識別され、道順のためのショートメッセージに挿入される。
【００４７】
図９に関して述べると移動機器１０２は、無線通信ネットワーク（図９のステップ９５０）を介してショートメッセージの通信を発する。ショートメッセージは、図９では移動機器より発せられた（ＭＯ）ＳＭＳまたは「ＭＯ−ＳＭＳ」として示されている。このショートメッセージは緊急メッセージであったり、緊急メッセージではなかったりし得る。ショートメッセージは、例えば図６〜８に関連して上述されているいずれかの方法で移動機器１０２に入力され得る。一般的に移動機器１０２のプロセッサは、ショートメッセージを通信するためのユーザ・インターフェースを介してユーザからのユーザ入力要求を識別する。プロセッサは、ユーザ入力要求が緊急メッセージであるかを識別する。これは、例えば図６〜８に関連して上述されているいずれかの方法で探知され得る。
【００４８】
ユーザ入力要求が、非緊急メッセージであると識別された場合に、プロセッサはメモリから第一メッセージ・センタ・アドレスを読み取り、ショートメッセージのメッセージ・センタ・アドレス欄の中に第一メッセージ・センタ・アドレスを供給する。反対に、ユーザ入力要求が緊急メッセージであると識別された場合に、プロセッサはメモリから第二メッセージ・センタ・アドレスを読み取り、ショートメッセージのメッセージ・センタ・アドレス欄の中に第二メッセージ・センタ・アドレスを供給する。本実施例では、メッセージ・センタ・アドレス欄は、ショートメッセージのメッセージ・センタ・アドレス欄ＲＰデータ宛先アドレス（規格書ＴＳ２４．０１１；７．３．１．２章を参照のこと）であるかもしれない。それからショートメッセージは、図９のステップ９５０において、エアー・インターフェースを介して無線通信ネットワークを介して送信される。一般的に、ショートメッセージが緊急メッセージである時に、ショートメッセージが緊急性のものであることを明示するために、ショートメッセージの中の第二メッセージ・センタ・アドレスがネットワークにより使用される。
【００４９】
このアドレスの識別に基づいて、ネットワークは、原則的にこのようなメッセージを途中で遮り、緊急メッセージを取扱い、適当な緊急宛先へ転送する適当な局所メッセージ・センタへと方向づける。移動機器１０２がホームではない無線ネットワークを訪問する時は、この局所メッセージ・センタは、ホーム無線ネットワークのホーム・メッセージ・センタではない。
【００５０】
ここでショートメッセージのネットワーク取扱いおよび処理に関する詳細が記述される。移動機器１０２によって発せられたショートメッセージは、受信され、ＭＳＣ１２２またはＳＧＳＮ１２６のような適切なネットワーク・ノードまたは要素により処理される。緊急性ショートメッセージは、非緊急性ショートメッセージに対して優先権を与えられ、ショートメッセージより早くネットワークにより処理されるということに留意されたい。ＭＳＣ１２２による動作を想定すると、ＭＳＣ１２２が作動してメッセージ・センタ・アドレスを読み取り、それをショートメッセージのサービス・センタ・アドレス欄に挿入し、ショートメッセージをネットワークでのさらなる処理のために転送する。本実施例では、サービス・センタ欄は、ＴＳ２９．００２  ＭＯフォーワードＳＭＳオペレーション（ＭＯ−Ｆｏｒｗａｒｄ  ＳＭＳ  ＯＰＥＲＡＴＩＯＮ）のサービス・センタ・アドレスＯＡ（ＳｅｒｖｉｃｅＣｅｎｔｒｅＡｄｄｒｅｓｓＯＡ）欄である。加えて、ショートメッセージは、ＭＳＣ１２２の一部であり得るシグナリング・コネクション・コントロール・パート（ＳＣＣＰ：Ｓｉｇｎａｌｉｎｇ  Ｃｏｎｎｅｃｔｉｏｎ  Ｃｏｎｔｒｏｌ  Ｐａｒｔ）へと転送される。
【００５１】
メッセージを受信したことに応答して、ＳＣＣＰは、作動して転送されたショートメッセージからサービス・センタ・アドレスを読み取り、緊急メッセージの取扱いに関連する記憶されているアドレスと比較するように動作する（例えば、図９の緊急ＳＭＳ−ＳＣアドレス９０４を参照されたい）。本実施例では、記憶されているアドレスは、緊急メッセージの送達または取扱い（グローバルまたは地域的）用の全ての搬送波のための同じ固定アドレスまたは表示である。この層では、ショートメッセージのメッセージ・センタ・アドレスは、Ｅ．１６４  グローバル・タイトル・アドレス（Ｇｌｏｂａｌ  Ｔｉｔｌｅ  Ａｄｄｒｅｓｓ）として呼ばれ得ることに留意されたい。ショートメッセージのサービス・センタ・アドレスと記憶されているアドレスが一致する場合に、ＳＣＣＰは、メッセージ・センタ・アドレスを、緊急メッセージを処理するために割り当てられた局所メッセージ・センタ（例、ＳＭＳ−ＳＣ３０６）に関連するメッセージ・センタ・アドレスへと置き換えるように動作する。緊急性ショートメッセージは、非緊急性ショートメッセージに対して優先権を与えられ、ショートメッセージより早くネットワークにより処理されるということに再び留意されたい。さもなければ、ショートメッセージのメッセージ・センタ・アドレスは、局所緊急メッセージ・センタに関連するアドレスへと変更されない。代わりに、比較に基づいて一致する場合に、ＳＣＣＰは、緊急メッセージを処理するように割り当てられた局所メッセージ・センタ（例えば、ＳＭＳ−ＳＣ３０６）に対応する宛先を設定するように動作する（例えば、メッセージ転送部層またはＭＴＰ（Ｍｅｓｓａｇｅ  Ｔｒａｎｓｆｅｒ  Ｐａｒｔ）層の中の宛先地点コードまたはＤＰＣ（Ｄｅｓｔｉｎａｔｉｏｎ  Ｐｏｉｎｔ  Ｃｏｄｅ））。さもなければ、ショートメッセージの宛先は、局所緊急メッセージ・センタに対応するように変更されない。
【００５２】
このようにして、ショートメッセージが、緊急性のものである場合、ショートメッセージはＳＣＣＰから、ＳＭＳインターワーキングＭＳＣ（ＳＭＳＩＷＭＳＣ）９０２（図９、ステップ９５２）を経由して、メッセージ・センタ・アドレス（図９のステップ９５４）と関連している局所メッセージ・センタ（例、ＳＭＳ−ＳＣ３０６）へと通信される。それからＳＭＳ−ＳＣ３０６は、ショートメッセージの局所の宛先９０６（警察署、消防署、救急車等）（図９のステップ９５６）への道順を決める。明らかなように、移動機器１０２が、ホームではない無線ネットワークを訪問している時に、局所メッセージ・センタ（例、ＳＭＳ−ＳＣ３０６）は、実際に局所的であり、ホーム無線ネットワークのホーム・メッセージ・センタではない。従って緊急メッセージは、ホーム無線ネットワークまたはその近くのホームの当局の代わりに、訪問先の無線ネットワークまたはその近く無線ネットワークの局所の当局へと、適切に通信される。反対にショートメッセージが非緊急性のものである場合は、ショートメッセージは、ＳＣＣＰから、ＳＭＳ  ＩＷＭＳＣ９０２を経由し（図９、ステップ９５２）（または他のＳＭＳ  ＩＷＭＳＣ）、メッセージ・センタ・アドレスに関連しているホーム・メッセージ・センタ（例、ＳＭＣ−ＳＣ１５４）へ通信される（図９のステップ９６０）。それからホームＳＭＳ−ＳＣ１５４は、事前にショートメッセージを発する時にユーザによって示されているように、ショートメッセージの宛先９０８への道順決めを適切に行う（図９、ステップ９６２）。
【００５３】
一つの特別の実施例では、緊急サービス用の第二メッセージ・センタ・アドレスは、移動通信機器による受信、保存、および使用等の目的のために、無線通信ネットワークによって、ブロードキャストまたは制御チャネルを介して規則的または定期的にブロードキャストされる。これは、第二メッセージ・センタ・アドレスが、特に緊急メッセージを取り扱う局所メッセージ・センタの実際の直接または間接のアドレスを表している場合には意味がない。図示として、図１０は無線ネットワークを介して緊急アドレス情報をブロードキャストする際に使用する方法を記述している、基本的プロセス・フロー図である。図１０で示されているように、ブロードキャスト情報１００２、１００４および１００６は、規則的にまたは定期的に一定の反復間隔で無線ネットワーク３０４によってブロードキャストされる。移動機器１０２のように無線ネットワーク３０４で作動している移動通信機器は、規則的にまたは定期的にこのようなブロードキャスト情報を受信し、メモリに記録する。無線ネットワーク３０４は、緊急アドレスまたは他の情報を時間ごとに変更し得るので、常に最も新しいブロードキャスト情報が、ショートメッセージ処理のために移動機器によって使われる。更新されたアドレス情報が受信された時に、移動機器１０２は、更新されたアドレス情報を記憶し、以前のアドレス情報と置き換えるように作動する。
【００５４】
第二メッセージ・センタ・アドレスは、無線通信ネットワークの無線ネットワーク識別に関連している移動機器のメモリに記憶され得る。例えば、無線ネットワーク識別は、ＰＬＭＮ識別、モバイル・カントリー・コード（ＭＣＣ：Ｍｏｂｉｌｅ  Ｃｏｕｎｔｒｙ  Ｃｏｄｅ）およびモバイル・ネットワーク・コード（ＭＮＣ）ペア、またはシステム・アイデンティフィケーション（ＳＩＤ）等であったり、またはこれらを含むものであったりし得る。下の表３は、第二メッセージ・センタ・アドレスが移動機器のメモリ（例えば、取り外し可能なメモリ・モジュール）の中に記憶され得る一つの方法を示している。
【００５５】
【表３】
2009516965.tif 000005
このようにして移動機器１０２は、特定の無線ネットワーク用の緊急メッセージ・センタ・アドレスの保存場所を維持したり、多数の異なる無線ネットワークと関連している複数のこのようなアドレスを記憶したりし得る。このようにして移動機器１０２がローミングしたり、またはホームではない無線ネットワーク（例、無線ネットワーク３０４）を訪問したりしている時に、移動機器は、その特定の無線ネットワークのための緊急メッセージ・センタ・アドレスを利用し得る。
【００５６】
下記の表４は、緊急メッセージ・センタ・アドレスが、その中で無線ネットワークにより、ブロードキャストまたは制御チャネルよりブロードキャストされ得る一つのフォーマットを図示している。
【００５７】
【表４−１】
2009516965.tif 000006
【００５８】
【表４−２】
2009516965.tif 000007
代わりの技術として、メッセージ・センタ・アドレス欄の第二宛先メッセージを供給する代わりに、ショートメッセージの指示子が、ショートメッセージは緊急メッセージであるということを示すように設定される。この技術を使うと、メッセージ・センタ・アドレスは、移動機器からの送信に先立ちホーム・メッセージ・センタ・アドレスまたは他の適切なアドレスとして、残るかもしれない。より明白に、ユーザ入力要求が、緊急メッセージと識別された場合、ショートメッセージの中の指示子は、移動機器によりショートメッセージが緊急メッセージであることを示すように設定される。一方、ユーザ入力要求が非緊急メッセージであると識別された場合、ショートメッセージの中の指示子は、移動機器によりショートメッセージは緊急メッセージではないことを示すように設定される。
【００５９】
指示子はショートメッセージのトランスポート・プロトコル識別子（ＴＰ−ＩＤ）欄の中に適切に設定されていることが望ましい。緊急メッセージ取扱い用のＴＰ−ＩＤの中の指示子は、下記の例に図示されるように供給され得る。
【００６０】
【表５】
2009516965.tif 000008
ネットワークによるショートメッセージの処理は、ＭＳＣ／ＳＧＳＮが作動して転送されたショートメッセージから指示子を読み取り、記憶されている緊急メッセージ取扱い用の指示子と比較することを除いては、図９に関係して記述された方法と同様に実施され得る。ショートメッセージの指示子と記憶されている指示子との間で一致する場合、ＭＳＣ／ＳＧＳＮは、メッセージ・センタ・アドレスを、緊急メッセージを処理するために割り当てられた局地メッセージ・センタ（例、ＳＭＳ−ＳＣ３０６）に関連するメッセージ・センタ・アドレスと置き換えるように作動する。さもなければ、ショートメッセージは、メッセージ・センタ・アドレス欄のメッセージ・センタ・アドレス（例、ホーム・メッセージ・センタ・アドレス）が変わらないままの通常の方式で処理される。
【００６１】
このようにして、無線通信ネットワークを介して緊急性のショートメッセージを通信する移動通信機器による使用のための方法および装置が述べられてきた。一つの具体例では、ホーム・メッセージ・センタと関連している第一メッセージ・センタ・アドレス、および緊急メッセージ・センタと関連している第二メッセージ・センタ・アドレスが、移動機器のメモリの中に記憶される。メモリは、移動機器用のサブスクライバ・アイデンティティ・モジュール（ＳＩＭ）のような取り外し可能なメモリ・モジュールであり得る。ショートメッセージを通信するためのユーザ入力要求は、移動機器のユーザ・インターフェースを介して受信される。ユーザ入力要求が、緊急メッセージであると識別された場合、第二メッセージ・センタ・アドレスが、メモリから読み取られ、ショートメッセージのメッセージ・センタ・アドレス欄の中に供給される。メッセージ・センタ・アドレス欄の中に第二メッセージ・センタ・アドレスを有するショートメッセージは、それから移動機器により無線ネットワークへと送信される。ネットワークは、メッセージ・センタ・アドレスの中の第二メッセージ・センタ・アドレスを識別し、それに応答して、ショートメッセージをネットワークに対して局所である緊急メッセージ・センタへと送らせる。このようにして、移動機器がホームではない無線ネットワークを訪問している時に、ショートメッセージは、適当な局所緊急メッセージ・センタへの道順を決められる。移動機器は無線ネットワークのブロードキャスト・チャネルを介して第二メッセージ・センタ・アドレスを受信し、無線ネットワークの無線ネットワーク識別に関連してそれを記憶し得る。
【００６２】
他の代わりの技術として、無線通信ネットワークを介して緊急性ショートメッセージを通信する際に移動機器により使用される具体的技術は、ユーザ・インターフェースを介して、ショートメッセージを通信するユーザ入力要求を受信すること、ショートメッセージのメッセージ・センタ・アドレス欄の中のホーム・メッセージ・センタに対応するメッセージ・センタ・アドレスを供給すること、ユーザ入力要求が緊急メッセージであると識別された場合に、ショートメッセージが緊急メッセージであることを示す指示子をショートメッセージの中に設定すること、ユーザ入力要求が非緊急メッセージであると識別された場合に、ショートメッセージが緊急メッセージではないことを示す指示子をショートメッセージの中に設定すること、およびショートメッセージを無線通信ネットワークへと送信させることを含む。ショートメッセージの中の指示子は、トランスポート識別子（ＴＰ−ＩＤ）を含む。
【００６３】
さらなる実施例では、移動通信機器より無線通信ネットワークを介して緊急性のショートメッセージを通信する際に、ネットワーク・ノード（モバイル・スイッチング・センタまたはサービングＧＰＲＳスイッチング・ノード）により使用される具体的技術は、宛先アドレス欄の中に宛先アドレス有するセンタ・アドレスを、ホーム・メッセージ・センタと対応するメッセージ・センタ・アドレス欄の中にメッセージ・センタ・アドレスを、およびショートメッセージが緊急メッセージであるかと示す指示子欄の中に指示子を有するショートメッセージを受信すること、指示子が、ショートメッセージが非緊急メッセージであることを示している場合に、メッセージ・センタ・アドレスに基づき、ショートメッセージのホーム・メッセージ・センタまでの道順を決めさせること、および、指示子が、ショートメッセージが緊急メッセージであることを示している場合に、ショートメッセージのホーム・メッセージ・センタではない緊急メッセージ・センタまでの道順を決めさせることを含む。
【００６４】
本発明の好適な実施例が図示され、記述されてきたが、本発明がそれだけに限定されないということは、理解されるべきである。添付された請求項に規定される本発明の精神および範囲から離れることなしに、当業者は多くの修正、変化、変更、代用および等価物を思いつくであろう。
【図面の簡単な説明】
【００６５】
【図１】図１は、無線通信ネットワークを介して通信するための移動通信機器を含む通信システムのブロック図である。
【図２】図２は、図１の無線ネットワークの中で使用されている移動機器のより詳細な例である。
【図３】図３は、本開示の技術が実行されている無線ネットワーク環境の簡略化された実例である。
【図４】図４は、移動機器から局所メッセージ・サービス・センタへの緊急性ショートメッセージの道順を決める工程を説明する実例フローチャートである。
【図５】図５は、図４による局所の宛先へとショートメッセージの道順を決めるように構成されている無線通信ネットワークの実例ブロック図である。
【図６】図６は、移動機器から局所メッセージ・サービス・センタへの緊急性ショートメッセージの道順を決める工程を説明する代表的なフローチャートである。
【図７】図７は、図６によるショートメッセージの局所への道順を決めるように構成されている移動機器の適切な構成部分の実例ブロック図である。
【図８】図８は、移動機器から緊急性ショートメッセージを送信するために使用するプロンプトを表示する移動機器の視覚的表示部の具体例である。
【図９】図９は、移動機器からの緊急性ショートメッセージを通信する際に使用する方法について記述しているプロセス・フロー図である。
【図１０】図１０は、無線ネットワークを介して緊急アドレス情報をブロードキャストする際に使用する方法を記述しているプロセス・フロー図である。
【図１】
2009516965.tif 000009
【図２】
2009516965.tif 000010
【図３】
2009516965.tif 000011
【図４】
2009516965.tif 000012
【図５】
2009516965.tif 000013
【図６】
2009516965.tif 000014
【図７】
2009516965.tif 000015
【図８】
2009516965.tif 000016
【図９】
2009516965.tif 000017
【図１０】
2009516965.tif 000018
【国際調査報告】
2009516965.tif 000019
2009516965.tif 000020